(57)【特許請求の範囲】
【請求項１】
端末からの信号を転送装置を介して移行元のセッション制御サーバが受信すべき状態を当該端末からの信号を当該転送装置を介して移行先のセッション制御サーバが受信すべき状態に移行させる場合における当該移行先のセッション制御サーバとして使用されるセッション制御サーバであって、
前記転送装置は、
前記端末と前記移行元のセッション制御サーバの対応関係を記憶している場合は、前記端末からの信号を前記移行元のセッション制御サーバに送信し、当該対応関係が前記端末と前記移行先のセッション制御サーバの対応関係に変更された後は、前記端末からの信号を前記移行先のセッション制御サーバに送信するものであり、
前記セッション制御サーバは、通信回線を介して加入者データサーバに接続され、
前記加入者データサーバは、
前記端末と前記移行元のセッション制御サーバの対応関係を記憶し、且つ、前記転送装置における変更よりも遅い時期に、当該対応関係を前記端末と前記移行先のセッション制御サーバの対応関係に変更されるものであり、
前記セッション制御サーバは、
前記転送装置から、要求信号に対する応答信号を受信する信号受信部と、
前記信号受信部が前記転送装置に要求信号を送信していないにもかかわらず当該転送装置から当該要求信号に対する応答信号を受信したなら、前記加入者データサーバに対し、当該端末から送信される信号をどのセッション制御サーバが受信すべきかを問い合わせる問合部と、
前記加入者データサーバから、当該端末から送信される信号を受信すべきセッション制御サーバを示す通知を受信する通知受信部と、
当該通知に示されたセッション制御サーバが自身であるか否かを判定する判定部と、
当該通知に示されたセッション制御サーバが自身でないなら、当該通知に示されたセッション制御サーバに当該応答信号を送信する信号送信部と、
当該通知に示されたセッション制御サーバが自身であるなら、当該応答信号を破棄する信号破棄部と
を備えることを特徴とするセッション制御サーバ。
【請求項２】
端末からの信号を転送装置を介して移行元のセッション制御サーバが受信すべき状態を当該端末からの信号を当該転送装置を介して移行先のセッション制御サーバが受信すべき状態に移行させる場合における当該移行先のセッション制御サーバとして使用されるセッション制御サーバの動作方法であって、
前記転送装置は、
前記端末と前記移行元のセッション制御サーバの対応関係を記憶している場合は、前記端末からの信号を前記移行元のセッション制御サーバに送信し、当該対応関係が前記端末と前記移行先のセッション制御サーバの対応関係に変更された後は、前記端末からの信号を前記移行先のセッション制御サーバに送信するものであり、
前記セッション制御サーバは、通信回線を介して加入者データサーバに接続され、
前記加入者データサーバは、
前記端末と前記移行元のセッション制御サーバの対応関係を記憶し、且つ、前記転送装置における変更よりも遅い時期に、当該対応関係を前記端末と前記移行先のセッション制御サーバの対応関係に変更されるものであり、
前記動作方法は、
前記セッション制御サーバの信号受信部が、前記転送装置から、要求信号に対する応答信号を受信し、
前記セッション制御サーバの問合部が、前記信号受信部が前記転送装置に要求信号を送信していないにもかかわらず当該転送装置から当該要求信号に対する応答信号を受信したなら、前記加入者データサーバに対し、当該端末から送信される信号をどのセッション制御サーバが受信すべきかを問い合わせ、
前記セッション制御サーバの通知受信部が、前記加入者データサーバから、当該端末から送信される信号を受信すべきセッション制御サーバを示す通知を受信し、
前記セッション制御サーバの判定部が、当該通知に示されたセッション制御サーバが自身であるか否かを判定し、
前記セッション制御サーバの信号送信部が、当該通知に示されたセッション制御サーバが自身でないなら、当該通知に示されたセッション制御サーバに当該応答信号を送信し、
前記セッション制御サーバの信号破棄部が、当該通知に示されたセッション制御サーバが自身であるなら、当該応答信号を破棄する
ことを特徴とするセッション制御サーバの動作方法。
【発明の詳細な説明】
【技術分野】
【０００１】
本発明は、セッション制御サーバおよびその動作方法に関するものである。
【背景技術】
【０００２】
従来の通信システムにおいては、端末に対して１つのセッション制御サーバを対応づけ、その端末から送信された信号は、そのセッション制御サーバが受信し、そのセッション制御サーバに保持された加入者データに従って信号を処理するという方法が採用される。
【０００３】
ところで、通信システムにおいては、信号を別のセッション制御サーバが受信し、そのセッション制御サーバに保持された加入者データに従って信号を処理する必要が生じる場合がある。
【０００４】
このような場合、前者の状態を後者の状態に変化させることを「サーバの移行」などといい、前者のセッション制御サーバを移行元のサーバ、後者のサーバを移行先のサーバなどという。また、この場合の端末を移行対象の端末という。
【０００５】
例えば、移行対象の端末からの信号を受信する転送装置の設定において、その端末からの信号を移行先のセッション制御サーバに送信すべきのように既に変更され、移行先のセッション制御サーバでは、未だ加入者データを保持していない、そのような期間においては、移行先のセッション制御サーバは、端末からの信号が転送装置を経由して送信されても加入者データを有していないので、移行元のセッション制御サーバに信号を転送する必要がある。
【０００６】
例えば、特許文献１に開示された通信システムでは、移行先のサーバにおいて、移行対象の端末については、移行対象であることを示すフラグを対応づけ、移行対象でない端末については、移行対象でないことを示すフラグを対応づけ、フラグにより移行対象であるか否かを判定し、移行対象であるなら、移行先のサーバに送信された信号を移行元のサーバに転送し、このようにして、移行中の通信サービスを継続させる。
【先行技術文献】
【特許文献】
【０００７】
【特許文献１】特開２０１０−１９３３６７号公報
【発明の概要】
【発明が解決しようとする課題】
【０００８】
しかしながら、特許文献１に開示された通信システムでは、移行元のサーバには、移行対象の端末からの信号を移行先のサーバに送信すべきと設定変更し、且つ、移行先のサーバには、フラグを設定しなければならず、また、これらの保守作業は連動して行う必要がある。例えば、一方のみを実施した状態で、移行対象の端末からの信号を処理すると、ルーチングを誤り、正しく処理できない可能性がある。また、移行元、移行先それぞれに対して、保守作業が必要なので、移行対象の端末が多数の場合は、保守稼働が多くかかってしまう。
【０００９】
また、移行対象か否かを示すフラグを設け、移行対象か否かをフラグにより判定すると、その分だけ信号遅延が生じてしまうが、判定を行わない限り移行対象であるか否かが判らないので、移行対象でない端末についても信号遅延が生じ、移行対象でない端末間の処理に影響が生じてしまう。
【００１０】
本発明は、上記の課題に鑑みてなされたものであり、その目的とするところは、セッション制御サーバの移行中において移行対象でない端末間の処理に影響を与えないための技術を提供することにある。
【課題を解決するための手段】
【００１１】
上記の課題を解決するために、第１の本発明は、端末からの信号を転送装置を介して移行元のセッション制御サーバが受信すべき状態を当該端末からの信号を当該転送装置を介して移行先のセッション制御サーバが受信すべき状態に移行させる場合における当該移行先のセッション制御サーバとして使用されるセッション制御サーバであって、前記転送装置は、前記端末と前記移行元のセッション制御サーバの対応関係を記憶している場合は、前記端末からの信号を前記移行元のセッション制御サーバに送信し、当該対応関係が前記端末と前記移行先のセッション制御サーバの対応関係に変更された後は、前記端末からの信号を前記移行先のセッション制御サーバに送信するものであり、前記セッション制御サーバは、通信回線を介して加入者データサーバに接続され、前記加入者データサーバは、前記端末と前記移行元のセッション制御サーバの対応関係を記憶し、且つ、前記転送装置における変更よりも遅い時期に、当該対応関係を前記端末と前記移行先のセッション制御サーバの対応関係に変更されるものであり、前記セッション制御サーバは、前記転送装置から、要求信号に対する応答信号を受信する信号受信部と、前記信号受信部が前記転送装置に要求信号を送信していないにもかかわらず当該転送装置から当該要求信号に対する応答信号を受信したなら、前記加入者データサーバに対し、当該端末から送信される信号をどのセッション制御サーバが受信すべきかを問い合わせる問合部と、前記加入者データサーバから、当該端末から送信される信号を受信すべきセッション制御サーバを示す通知を受信する通知受信部と、当該通知に示されたセッション制御サーバが自身であるか否かを判定する判定部と、当該通知に示されたセッション制御サーバが自身でないなら、当該通知に示されたセッション制御サーバに当該応答信号を送信する信号送信部と、当該通知に示されたセッション制御サーバが自身であるなら、当該応答信号を破棄する信号破棄部とを備えることを特徴とする。
【００１２】
第２の本発明は、端末からの信号を転送装置を介して移行元のセッション制御サーバが受信すべき状態を当該端末からの信号を当該転送装置を介して移行先のセッション制御サーバが受信すべき状態に移行させる場合における当該移行先のセッション制御サーバとして使用されるセッション制御サーバの動作方法であって、前記転送装置は、前記端末と前記移行元のセッション制御サーバの対応関係を記憶している場合は、前記端末からの信号を前記移行元のセッション制御サーバに送信し、当該対応関係が前記端末と前記移行先のセッション制御サーバの対応関係に変更された後は、前記端末からの信号を前記移行先のセッション制御サーバに送信するものであり、前記セッション制御サーバは、通信回線を介して加入者データサーバに接続され、前記加入者データサーバは、前記端末と前記移行元のセッション制御サーバの対応関係を記憶し、且つ、前記転送装置における変更よりも遅い時期に、当該対応関係を前記端末と前記移行先のセッション制御サーバの対応関係に変更されるものであり、前記動作方法は、前記セッション制御サーバの信号受信部が、前記転送装置から、要求信号に対する応答信号を受信し、前記セッション制御サーバの問合部が、前記信号受信部が前記転送装置に要求信号を送信していないにもかかわらず当該転送装置から当該要求信号に対する応答信号を受信したなら、前記加入者データサーバに対し、当該端末から送信される信号をどのセッション制御サーバが受信すべきかを問い合わせ、前記セッション制御サーバの通知受信部が、前記加入者データサーバから、当該端末から送信される信号を受信すべきセッション制御サーバを示す通知を受信し、前記セッション制御サーバの判定部が、当該通知に示されたセッション制御サーバが自身であるか否かを判定し、前記セッション制御サーバの信号送信部が、当該通知に示されたセッション制御サーバが自身でないなら、当該通知に示されたセッション制御サーバに当該応答信号を送信し、前記セッション制御サーバの信号破棄部が、当該通知に示されたセッション制御サーバが自身であるなら、当該応答信号を破棄することを特徴とする。
【発明の効果】
【００１３】
本発明によれば、セッション制御サーバの移行中において移行対象でない端末間の処理に影響を与えないようにすることができる。
【図面の簡単な説明】
【００１４】
【図１】本実施の形態に係るセッション制御サーバを含む通信システムの構成を示す。
【図２】加入者データサーバにおける設定の一例を示す。
【図３】転送装置における設定の一例を示す。
【図４】移行先のセッション制御サーバの機能ブロックを示す。
【図５】通信システムの動作シーケンスの一例を示す。
【図６】移行先のセッション制御サーバにおける処理の流れを示す。
【図７】図６のステップＳ２０３以降の処理を開始させる別の契機を示す。
【図８】比較例における設定の一例を示す。
【発明を実施するための形態】
【００１５】
以下、本発明の実施の形態について図面を参照して説明する。
【００１６】
図１に示すように、本実施の形態に係る通信システムにおいては、加入者データサーバ１が通信回線を介してセッション制御サーバ２１、２２、２３に接続される。セッション制御サーバ２１、２２、２３は互いに通信回線を介して接続される。セッション制御サーバ２１は通信回線を介して転送装置３１に接続され、転送装置３１は通信回線を介して端末４１や他の端末に接続される。セッション制御サーバ２２は通信回線を介して転送装置３２に接続され、転送装置３２は通信回線を介して端末４２や他の端末に接続される。セッション制御サーバ２３は通信回線を介して転送装置３２、３３に接続され、転送装置３３は通信回線を介して端末４３や他の端末に接続される。なお、セッション制御サーバ、転送装置、端末の数については、この例に限るものではない。
【００１７】
例えば、端末４１から送信された信号はセッション制御サーバ２１が受信すべきであると定められており、端末４２から送信された信号はセッション制御サーバ２２が受信すべきであると定められており、端末４３から送信された信号はセッション制御サーバ２３が受信すべきであると定められている。
【００１８】
しかし、将来的には、端末４２から送信された信号はセッション制御サーバ２３が受信すべきであると定められており、つまり、端末４１、４２、４３の中では、端末４２だけが移行対象である。
【００１９】
図２に示すように、加入者データサーバ１では、端末毎に、その端末から送信された信号をどのセッション制御サーバが受信すべきかの設定がなされている。以下、このような設定を端末とセッション制御サーバの対応関係という。例えば、加入者データサーバ１は、端末４１とセッション制御サーバ２１の対応関係、端末４２とセッション制御サーバ２２の対応関係、端末４３とセッション制御サーバ２３の対応関係を有する。また、加入者データサーバ１では、端末毎に、その端末について使用される加入者データを有する。
【００２０】
図３に示すように、例えば、転送装置３２においては、自身に接続された端末毎に、その端末から送信された信号をどのセッション制御サーバが受信すべきかの設定がなされている。以下、このような設定を端末とセッション制御サーバの対応関係という。例えば、転送装置３２は、端末４２とセッション制御サーバ２２の対応関係を有する。
【００２１】
なお、図示しないが、他の転送装置も接続された端末毎に端末とセッション制御サーバの対応関係を有する。
【００２２】
図４（ａ）に示すように、セッション制御サーバ２３は、転送装置から、要求信号に対する応答信号を受信する信号受信部２３１、応答信号の送信元である端末からの信号をどのセッション制御サーバが受信すべきかを加入者データサーバ１に問い合わせる問合部２３２、加入者データサーバ１から、応答信号の送信元である端末からの信号を受信すべきセッション制御サーバを示す通知を受信する通知受信部２３３、通知に示されたセッション制御サーバがセッション制御サーバ２３であるか否かを判定する判定部２３４、通知に示されたセッション制御サーバに応答信号を送信する信号送信部２３５、応答信号を破棄する信号破棄部２３６、自身に転送装置を介して接続された端末に関する加入者データを保持する加入者データ記憶部２３７を備える。
【００２３】
図４（ｂ）に示すように、加入者データ記憶部２３７においては、セッション制御サーバ２３に転送装置を介して接続された端末毎に、その端末に関する加入者データが記憶される。例えば、加入者データ記憶部２３７は、端末４３について、その端末４３に関する加入者データを既に記憶しているが、移行対象である端末４２については、まだ加入者データを記憶していない。
【００２４】
なお、図示しないが、他のセッション制御サーバにおいても、端末毎に加入者データが対応づけられている。例えば、セッション制御サーバ２２は、端末４２に関する加入者データを有する。
【００２５】
図５に示すように、例えば、管理者などが転送装置３２に対し、端末４２とセッション制御サーバ２２の対応関係を端末４２とセッション制御サーバ２３の対応関係に変更する（Ｓ１：図３）。つまり、端末４２に関するセッション制御サーバの移行は、例えば、このようにして開始される。
【００２６】
一方、端末４１は、移行開始前と同じように、端末４２とで通話を行うべく、送信元、送信先をそれぞれ端末４１、４２としたＩＮＶＩＴＥ信号を、自身に接続された転送装置３１に送信する（Ｓ１１）。
【００２７】
転送装置３１は、端末４１とセッション制御サーバ２１の対応関係を有することから、ＩＮＶＩＴＥ信号をセッション制御サーバ２１に送信する（Ｓ１３）。
【００２８】
セッション制御サーバ２１は、端末４２の加入者データを有しないことから、加入者データサーバ１に対し、端末４２からの信号をどのセッション制御サーバが受信すべきかを問い合わせる（Ｓ１５）。
【００２９】
加入者データサーバ１は、端末４２とセッション制御サーバ２２の対応関係を有することから、セッション制御サーバ２２を示す通知をセッション制御サーバ２１に送信する（Ｓ１７）。
【００３０】
セッション制御サーバ２１は、通知に示されたセッション制御サーバ２２にＩＮＶＩＴＥ信号を送信する（Ｓ１９）。
【００３１】
セッション制御サーバ２２は、端末４２に関する加入者データを有することから、ＩＮＶＩＴＥ信号を他のセッション制御サーバに送信せず、自身に接続された転送装置３２に送信する（Ｓ２１）。
【００３２】
転送装置３２は、ＩＮＶＩＴＥ信号をその送信先である端末４２に送信する（Ｓ２３）。
【００３３】
端末４２は、端末４２に接続された転送装置３２に対し、送信元、送信先をそれぞれ端末４２、４１とした２００ＯＫ信号（ＩＮＶＩＴＥ信号の応答信号）を送信する（Ｓ３１）。
【００３４】
転送装置３２は、ステップＳ１で、端末４２とセッション制御サーバ２１の対応関係を端末４２とセッション制御サーバ２３の対応関係に変更したことから、２００ＯＫ信号を、セッション制御サーバ２３に送信する（Ｓ３３）。
【００３５】
セッション制御サーバ２３は、転送装置３２にＩＮＶＩＴＥ信号を送信してないのに、その転送装置３２から２００ＯＫ信号を受信したので、加入者データサーバ１に対し、２００ＯＫ信号の送信元である端末４２からの信号をどのセッション制御サーバが受信すべきかを問い合わせる（Ｓ３５）。
【００３６】
加入者データサーバ１は、端末４２とセッション制御サーバ２２の対応関係を有することから、セッション制御サーバ２２を示す通知をセッション制御サーバ２３に送信する（Ｓ３７）。
【００３７】
セッション制御サーバ２３は、通知に示されたセッション制御サーバ２２に２００ＯＫ信号を送信する（Ｓ３９）。
【００３８】
セッション制御サーバ２２は、２００ＯＫ信号の送信先である端末４１の加入者データを有しないことから、加入者データサーバ１に対し、端末４１からの信号をどのセッション制御サーバが受信すべきかを問い合わせる（Ｓ４１）。
【００３９】
加入者データサーバ１は、端末４１とセッション制御サーバ２１の対応関係を有することから、セッション制御サーバ２１を示す通知をセッション制御サーバ２２に送信する（Ｓ４３）。
【００４０】
セッション制御サーバ２２は、通知に示されたセッション制御サーバ２１に２００ＯＫ信号を送信する（Ｓ４５）。
【００４１】
なお、セッション制御サーバ２３は、ステップＳ３５で加入者データサーバ１に対し、端末４１からの信号をどのセッション制御サーバが受信すべきかを問い合わせ、その回答、つまり、端末４１からの信号をセッション制御サーバ２１が受信すべきとの回答をステップＳ３９でセッション制御サーバ２２に通知してもよい。これにより、ステップＳ４１、Ｓ４３を省略できる。
【００４２】
セッション制御サーバ２１は、端末４１の加入者データを有することから、２００ＯＫ信号を他のセッション制御サーバに送信せず、自身に接続された転送装置３１に送信する（Ｓ４７）。
【００４３】
転送装置３１は、２００ＯＫ信号をその送信先である端末４１に送信する（Ｓ４９）。
【００４４】
これ以降、ＩＮＶＩＴＥ信号のような要求信号については、ＩＮＶＩＴＥ信号と同様に、一方、２００ＯＫ信号のような応答信号については、２００ＯＫ信号と同様に扱われ、これにより、端末４１と端末４２の間での通話がなされる。その際、セッション制御サーバ２１は端末４１の加入者データを使用し、セッション制御サーバ２２は端末４２の加入者データを使用する。
【００４５】
一方、端末４２は、例えば、予め設定された時刻になると、送信元を端末４２としたＲＥＧＩＳＴＥＲ信号を、自身に接続された転送装置３２に送信する（Ｓ１０１）。
【００４６】
転送装置３２は、端末４２とセッション制御サーバ２３の対応関係を有することから、ＲＥＧＩＳＴＥＲ信号をセッション制御サーバ２３に送信する（Ｓ１０３）。
【００４７】
セッション制御サーバ２３は、ＲＥＧＩＳＴＥＲ信号を受信したので、その送信元である端末４２の加入者データを要求する信号を加入者データサーバ１に送信する（Ｓ１０５）。
【００４８】
加入者データサーバ１は、端末４２の加入者データを要求する信号を受信したので、端末４２とセッション制御サーバ２２の対応関係を、端末４２と当該要求する信号を送信してきたセッション制御サーバ２３の対応関係に変更する（Ｓ１０７）。
【００４９】
また、加入者データサーバ１は、端末４２に対応づけた加入者データをセッション制御サーバ２３に送信する（Ｓ１０９）。
【００５０】
セッション制御サーバ２３は、加入者データを端末４２に対応づけて、加入者データ記憶部２３７に保存する（Ｓ１１１）。
【００５１】
よって、これ以降は、ステップＳ１９のようなＩＮＶＩＴＥ信号は、セッション制御サーバ２３に送信され、同様のシーケンスを経て、端末４１と端末４２は、セッション制御サーバ２１とセッション制御サーバ２３を介して通話を行う。その際、セッション制御サーバ２１は端末４１の加入者データを使用し、セッション制御サーバ２３は端末４２の加入者データを使用する。
【００５２】
ここで、ステップＳ３３〜Ｓ３９に関連する処理の流れを説明する。
【００５３】
図６に示すように、信号受信部２３１が、セッション制御サーバ２３から転送装置に要求信号（例えば、ＩＮＶＩＴＥ信号）を送信していないにもかかわらず、当該転送装置から応答信号（例えば、２００ＯＫ信号）を受信したなら（Ｓ２０１）、問合部２３２は、加入者データサーバ１に対し、応答信号の送信元である端末からの信号をどのセッション制御サーバが受信すべきかを問い合わせる（Ｓ２０３）。
【００５４】
次に、通知受信部２３３は、加入者データサーバ１から、応答信号の送信元である端末にどのセッション制御サーバが対応するかを示す対応関係の通知を受信する（Ｓ２０５）。つまり、通知受信部２３３は、応答信号の送信元である端末から送信される信号を受信すべきセッション制御サーバを示す通知を受信する（Ｓ２０５）。
【００５５】
次に、判定部２３４は、通知に示されたセッション制御サーバが、自身つまりセッション制御サーバ２３であるか否かを判定する（Ｓ２０７）。
【００５６】
信号送信部２３５は、通知に示されたセッション制御サーバが、セッション制御サーバ２３でないなら（Ｓ２０７：ＮＯ）、通知に示されたセッション制御サーバに対し、応答信号を送信し（Ｓ２０９）、処理を終える。
【００５７】
一方、信号破棄部２３６は、通知に示されたセッション制御サーバが、セッション制御サーバ２３であるなら（Ｓ２０７：ＹＥＳ）、応答信号を破棄し、処理を終える。
【００５８】
なお、本実施の形態では、図７に示すように、セッション制御サーバ２３から転送装置３２に要求信号を送信していないにもかかわらず応答信号を転送装置３２から受信した場合において、図６のステップＳ２０３以降の処理が開始されることとしたが、これに限らず、例えば、セッション制御サーバ２３から転送装置３３に要求信号を送信していないにもかかわらず何らかの信号（例えば、エラー信号）を転送装置３３から受信した場合において、ステップＳ２０３以降の処理が開始されることとしてもよい。
【００５９】
以上のように、本実施の形態における移行先のセッション制御サーバ２３によれば、ステップＳ３３で受信した応答信号（２００ＯＫ信号）をステップＳ３９において移行元のセッション制御サーバ２２に送信できるので、移行対象の端末４２であっても移行期間に通話が行える。
【００６０】
つまり、端末４２について、転送装置３２では既に設定変更がなされ（Ｓ１）、一方、加入者データサーバ１では未だ設定変更がなされず、セッション制御サーバ２３では未だ加入者データを有していない期間（移行期間）であっても、端末４２は通話を行える。通話に限らず、他の通信サービスでも同様であり、すなわち、移行期間であっても、通信サービスを継続して行うことができる。
【００６１】
また、本実施の形態では、移行元のサーバにはルーチングの設定を変更し、且つ、移行先のサーバにはフラグを設定するというように、両方のサーバに保守作業を行う必要がない。よって、一方のみが実施され、その結果として、ルーチングを誤るというような不都合が生じない。
【００６２】
また、保守作業としては、ステップＳ１のような転送装置への作業だけなので、移行対象の端末が多数あっても、よって、保守稼働が少なくできる。
【００６３】
上記のフラグを用いる技術を図８にて説明する。
【００６４】
セッション制御サーバ２３に対応する比較例での移行先のサーバは、通信サービスを継続させるべく、端末４２に対応する比較例での移行対象の端末については、移行対象であることを示すフラグを対応づけて記憶し、移行対象でない端末については、移行対象でないことを示すフラグを対応づけて記憶する。そして、移行先のサーバは、フラグにより移行対象であるか否かを判定し、移行対象であるなら、本実施の形態のステップＳ３９、Ｓ２０９のように、信号を移行元のサーバへ送信する。すなわち、比較例の技術では、フラグによる判定が必要であり、信号遅延の可能性がある。
【００６５】
これに対し、本実施の形態のセッション制御サーバ２３では、フラグによる判定が不要である。つまり、移行対象の端末（例では、端末４２）については、ステップＳ１のように、端末４２とセッション制御サーバ２２の対応関係を端末４２とセッション制御サーバ２３の対応関係に変更すればよい。すなわち、移行対象であるか否かにかかわらず行われるフラグ判定に起因する信号遅延が発生せず、その結果、移行対象でない端末間の処理に影響を与えないようにすることができる。
【００６６】
以上のように、セッション制御サーバ２３は、端末４２からの信号を転送装置３２を介して移行元のセッション制御サーバ２２が受信すべき状態を端末４２からの信号を転送装置３２を介して移行先のセッション制御サーバが受信すべき状態に移行させる場合における移行先のセッション制御サーバとして使用されるセッション制御サーバである。
【００６７】
転送装置３２は、端末４２と移行元のセッション制御サーバ２２の対応関係を記憶している場合は、端末４２からの信号を移行元のセッション制御サーバ２２に送信し、当該対応関係が端末４２と移行先のセッション制御サーバ２３の対応関係に変更された後は、端末４２からの信号を移行先のセッション制御サーバ２３に送信するものである。
【００６８】
また、加入者データサーバ１は、端末４２と移行元のセッション制御サーバ２２の対応関係を記憶し、且つ、転送装置３２における変更よりも遅い時期に、当該対応関係を端末４２と移行先のセッション制御サーバ２３の対応関係に変更されるものである。
【００６９】
そして、セッション制御サーバ２３は、転送装置３２から、要求信号に対する応答信号を受信する（Ｓ３３、Ｓ２０１）信号受信部２３１と、信号受信部２３１が転送装置３２に要求信号を送信していないにもかかわらず転送装置３２から当該要求信号に対する応答信号を受信したなら（Ｓ３３、Ｓ２０１）、加入者データサーバ１に対し、端末４２から送信される信号をどのセッション制御サーバが受信すべきかを問い合わせる（Ｓ３５、Ｓ２０３）問合部２３２と、加入者データサーバ１から、端末４２から送信される信号を受信すべきセッション制御サーバ２２を示す通知を受信する（Ｓ３７、Ｓ２０５）通知受信部２３３と、通知に示されたセッション制御サーバ２２が自身であるか否かを判定する（Ｓ２０７）判定部２３４と、通知に示されたセッション制御サーバ２２が自身でないなら（Ｓ２０７：ＮＯ）、通知に示されたセッション制御サーバ２２に応答信号を送信する（Ｓ３９、Ｓ２０９）信号送信部２３５と、通知に示されたセッション制御サーバが自身であるなら（Ｓ２０７：ＹＥＳ）、応答信号を破棄する（Ｓ２１１）信号破棄部２３６とを備える。
【００７０】
よって、上記比較例のようなフラグによる判定が不要であり、その結果、上記通話などのサービスを移行中であっても継続でき、かつ、移行対象でない端末間の処理に影響を与えないようにすることができる。
【００７１】
なお、本実施の形態では、端末４２を移行対象としたが、移行対象は端末４２に限らない。また、移行元をセッション制御サーバ２２としたが、移行元はセッション制御サーバ２２に限らない。また、移行先をセッション制御サーバ２３としたが、移行先はセッション制御サーバ２３に限らない。移行先のセッション制御サーバには、図４と同様の機能ブロックを設ければよい。
【００７２】
また、本実施の形態では、加入者データサーバ１において端末とセッション制御サーバの対応関係を変更した後、セッション制御サーバ２３が加入者データを取得、保存したが、加入者データを予め取得し、保存しておいてもよい。
【００７３】
また、本実施の形態では、要求信号をＩＮＶＩＴＥ信号、応答信号を２００ＯＫ信号とした例を説明したが、要求信号はサービスにおいて送受信されるものであればよく、応答信号はその応答信号であればよい。
【符号の説明】
【００７４】
１…加入者データサーバ
２１、２２、２３…セッション制御サーバ
３１、３２、３３…転送装置
４１、４２、４３…端末
２３１…信号受信部
２３２…問合部
２３３…通知受信部
２３４…判定部
２３５…信号送信部
２３６…信号破棄部
２３７…加入者データ記憶部
【図１】
0005930547.tif 000002
【図２】
0005930547.tif 000003
【図３】
0005930547.tif 000004
【図４】
0005930547.tif 000005
【図５】
0005930547.tif 000006
【図６】
0005930547.tif 000007
【図７】
0005930547.tif 000008
【図８】
0005930547.tif 000009